(57)【要約】      （修正有）【課題】小型化及び薄型化を図り、端子間の接触動作の信頼性及び設計の自由度の向上、長寿命化、組み立ての簡素化、及び製造コストの低減化を図る。【解決手段】係るスイッチ１は、少なくとも２つの固定端子１１，１２の接点１１ａ，１２ａが内部に設けられたハウジング２と、金属製ワイヤーを屈曲することにより形成され、ハウジング２の内部において固定端子１１，１２の接点１１ａ，１２ａに接離可能に往復動する可動端子３と、可動端子３を往復動させるため、ハウジング２に出没可能に設けられた操作レバー５と、操作レバー５をハウジング２の外側に付勢するトーションバネとを備えていることを特徴とする。【選択図】図１
2008041325.tif 000002
【特許請求の範囲】
【請求項１】
少なくとも２つの固定端子の接点が内部に設けられたハウジングと、
金属製ワイヤーを屈曲することにより形成され、前記ハウジングの内部において前記固定端子の接点に接離可能に往復動する可動端子と、
該可動端子を往復動させるため、前記ハウジングに出没可能に設けられた操作レバーと、
該操作レバーをハウジングの外側に付勢するトーションバネと、
を備えていることを特徴とするスイッチ。
【請求項２】
前記操作レバーは、前記ハウジングに設けられた軸部を支点に回転可能に設けられ、前記操作レバーの回転動を前記可動端子の往復動に変換するカム機構を備えている請求項１に記載のスイッチ。
【請求項３】
前記可動端子は前記操作レバーと前記ハウジングとの間に挟持されている請求項２に記載のスイッチ。
【請求項４】
前記操作レバーは、押圧操作によって直線動可能に設けられている請求項１に記載のスイッチ。
【請求項５】
前記操作レバーは、スライド操作によって直線動可能に設けられている請求項１に記載のスイッチ。
【請求項６】
前記固定端子はコモン端子とＮＯ端子とから構成され、前記操作レバーを前記ハウジングの内部に移動させると、前記可動端子が前記ＮＯ端子に接触する請求項１〜４のいずれか１の請求項に記載のスイッチ。
【請求項７】
前記固定端子はコモン端子とＮＣ端子とから構成され、前記操作レバーを前記ハウジングの内部に移動させると、前記可動端子が前記ＮＣ端子から離間する請求項１〜４のいずれか１の請求項に記載のスイッチ。
【請求項８】
前記固定端子は、コモン端子とＮＣ端子及びＮＯ端子とから構成され、前記操作レバーを前記ハウジングの内部に移動させると、前記可動端子が前記ＮＣ端子から離間すると共に前記ＮＯ端子に接触する請求項１〜４のいずれか１の請求項に記載のスイッチ。
【請求項９】
前記固定端子のコモン端子とＮＣ端子又はＮＯ端子とは対向するように平行に配置されており、前記可動端子は前記コモン端子と前記ＮＣ端子又はＮＯ端子との間を前記固定端子の配置方向に沿って往復動可能に設けられ、前記可動端子には、前記固定端子の接点に接離可能な接点が固定端子側に突出するように形成されていると共に前記ＮＣ端子と接離する可動端子の接点の近傍に反固定端子側に突出するように逃げ部が形成されている請求項７又は８に記載のスイッチ。
【発明の詳細な説明】
【技術分野】
【０００１】
本発明は、電子機器等に使用されるスイッチに関し、特に、小型の電子機器に使用されるスイッチに関する。
【背景技術】
【０００２】
従来、携帯電話、デジタルカメラ、ノート型パソコン等の小型の電子機器には、メモリカードの有無やシャッターレンズの開閉等を検知するためにスイッチが設けられており、このスイッチは、操作レバーを操作し、固定端子間で可動端子を接離させることにより、電気的にオン・オフ信号を送出するようになっている。
【０００３】
そして、この種の従来のスイッチとしては、例えば、板ばね状のＵ形ばね片を２枚重合して形成した可動端子を備えたスイッチや（特許文献１参照）、コイルばねの端部に設けた可動端子を板ばね状の固定端子で挟持する構造を備えたスイッチや（特許文献２参照）、片持ち支持された可動端子を一対の固定端子に交互に接離可能なように対向配置した構造を備えたスイッチ（特許文献３参照）などが公知である。
【特許文献１】特開平１０−５０１７４号公報
【特許文献２】特開２００１−２２９７７０号公報
【特許文献３】特開２００６−１０００９８号公報
【発明の開示】
【発明が解決しようとする課題】
【０００４】
しかしながら、上記した従来のスイッチでは、可動端子を固定端子で挟持したり、板ばね状の可動端子を使用したりしているため、スイッチの小型化、薄型化が図り難いといった問題があった。
【０００５】
また、操作レバーの押し込み力によって固定端子と可動端子間の接触圧が決定されるため、接触圧や接触のタイミングが不安定となるといった問題や、設計の自由度がないといった問題があった。
【０００６】
さらに、操作レバーを繰り返し操作することにより、ばねが変形し、固定端子と可動端子間の接触動作の精度やばねの耐久性が低下するといった問題もあった。
【０００７】
さらにまた、固定端子と可動端子間の接触圧を安定させるためには高い寸法精度を必要するため、組み立て作業に手間が掛かり、製造コストの低減化が図り難いといった問題もあった。
【０００８】
さらに、上記した従来のスイッチは、コモン端子とＮＯ端子を組み合わせたスイッチにしか適用できない場合もあり、スイッチの多種多様化に対応し難いといった問題もあった。
【０００９】
本発明は、上記した課題を解決すべくなされたものであり、小型化及び薄型化を図ることができると共に、端子間の接触動作の信頼性及び設計の自由度の向上、長寿命化、組み立ての簡素化、及び製造コストの低減化を図ることのできるスイッチを提供することを目的とするものである。
【課題を解決するための手段】
【００１０】
上記した目的を達成するため、本発明に係るスイッチは、少なくとも２つの固定端子の接点が内部に設けられたハウジングと、金属製ワイヤーを屈曲することにより形成され、前記ハウジングの内部において前記固定端子の接点に接離可能に往復動する可動端子と、該可動端子を往復動させるため、前記ハウジングに出没可能に設けられた操作レバーと、該操作レバーをハウジングの外側に付勢するトーションバネとを備えていることを特徴とする。
【００１１】
そして、前記操作レバーは、前記ハウジングに設けられた軸部を支点に回転可能に設けられ、前記操作レバーの回転動を前記可動端子の往復動に変換するカム機構を備えていてもよい。
【００１２】
また、前記可動端子は前記操作レバーと前記ハウジングとの間に挟持されていてもよい。
【００１３】
さらに、前記操作レバーは、押圧操作によって直線動可能に設けられていてもよく、また、スライド操作によって直線動可能に設けられていてもよい。
【００１４】
さらにまた、前記固定端子はコモン端子とＮＯ端子とから構成され、前記操作レバーを前記ハウジングの内部に移動させると、前記可動端子が前記ＮＯ端子に接触するようになっていてもよい。
【００１５】
さらに、前記固定端子はコモン端子とＮＣ端子とから構成され、前記操作レバーを前記ハウジングの内部に移動させると、前記可動端子が前記ＮＣ端子から離間するようになっていてもよい。
【００１６】
さらに、前記固定端子は、コモン端子とＮＣ端子及びＮＯ端子とから構成され、前記操作レバーを前記ハウジングの内部に移動させると、前記可動端子が前記ＮＣ端子から離間すると共に前記ＮＯ端子に接触するようになっていてもよい。
【００１７】
さらに、前記固定端子のコモン端子とＮＣ端子又はＮＯ端子とは対向するように平行に配置されており、前記可動端子は前記コモン端子と前記ＮＣ端子又はＮＯ端子との間を前記固定端子の配置方向に沿って往復動可能に設けられ、前記可動端子には、前記固定端子の接点に接離可能な接点が固定端子側に突出するように形成されていると共に前記ＮＣ端子と接離する可動端子の接点の近傍に反固定端子側に突出するように逃げ部が形成されていてもよい。
【発明の効果】
【００１８】
本発明によれば、可動端子を金属製ワイヤーにより形成していると共に操作レバーの付勢手段としてトーションバネを使用しているため、スイッチの薄型化を容易に図ることができる。
【００１９】
また、対向して平行に配設された固定端子の接点の間を可動端子の接点がスライドすることにより、固定端子と可動端子間の接触が行われるようになっているため、接触圧力や接触のタイミングが安定し、接触動作の信頼性を高めることができ、さらに、接触圧力等が安定することにより、スイッチの耐久性が向上し、長寿命化を図ることができる。
【００２０】
また、可動端子等の接点部品と該接点部品を駆動させるトーションバネとが別部品で構成されているため、個々の部品の形状が簡素化され、接点の接触圧力と駆動力の設計の自由度を高めることができる。
【００２１】
さらに、固定端子と可動端子間の接触圧を安定させるために高い寸法精度が必要とされず、組み立て作業が簡素化されるため、組み立て作業の自動化が容易となり、製造コストの低減化を図ることができると共に、製品の品質を安定させることができる。
【００２２】
さらにまた、コモン端子とＮＯ端子を備えたスイッチ以外にも、コモン端子とＮＣ端子を備えたスイッチや、コモン端子とＮＣ端子及びＮＯ端子を備えたスイッチ等においても、同レベルの接触圧力や接触のタイミングの安定性を確保することができるため、スイッチの多種多様化に容易に対応することが可能となる。
【発明を実施するための最良の形態】
【００２３】
以下、図面を参照しつつ、本発明の実施の形態について説明する。
【００２４】
先ず、図１及び図２を参照しつつ、本発明の第１の実施の形態に係るスイッチについて説明する。ここで、図１は本発明の第１の実施の形態に係るスイッチを示す平面図、図２は同スイッチの分解斜視図である。
【００２５】
本実施の形態に係るスイッチ１は、扁平な矩形箱状のハウジング２と、ハウジング２の内部に収容される可動端子３と、可動端子３を保持するスライダー４と、ハウジング２に出没可能に設けられる操作レバー５と、操作レバー５をハウジング２の外側に付勢するトーションバネ６とを備えて構成されている。
【００２６】
ハウジング２は、可動端子３、スライダー４、及び操作レバー５の一部分を収容可能な収容凹部７が形成されたケース８と、収容凹部７の開口面を閉塞するようにケース８に嵌着されるカバー９とから構成されており、ハウジング２の一端面には操作レバー５がハウジング２に対して出没可能なように開口部１０が形成されている。
【００２７】
ケース８の両側面の対向する位置には、板状の第１端子１１と第２端子１２の２つの固定端子がそれぞれインサート成形されている。第１端子１１及び第２端子１２の各接点１１ａ，１２ａは収容凹部７において互いに対向するように平行に配置されており、それぞれコモン（Common）端子及びＮＯ（Normally Open）端子を形成している。
【００２８】
また、ケース８の収容凹部７には、各接点１１ａ，１２ａの間に斜めに長孔１３が形成されていると共に、開口部１０側の角部に円柱状の軸部１４が突設されている。さらに、ケース８の外側面の所要箇所（図示では３箇所）には、係合凹部１５が形成されており、これらの係合凹部１５にカバー９の外縁部に屈曲形成された係合片１６を係合させることにより、カバー９がケース８に嵌着されるようになっている。
【００２９】
可動端子３は、金属製ワイヤーの中央部１７を略Ｕ字状に屈曲することにより形成され、中央部１７から両側に延出する直線部１８ａ，１８ｂの各先端部には固定端子側に突出するように接点１９ａ，１９ｂがくの字状に屈曲して形成されている。
【００３０】
スライダー４は、第１端子１１及び第２端子１２の各接点１１ａ，１２ａの間に遊嵌する幅寸法を備えて形成されており、その一方の面（図示では下面）には長孔係合部（図示せず）が突設され、該長孔係合部がケース８の長孔１３に係合することにより、各接点１１ａ，１２ａに沿って往復動可能となっている。
【００３１】
これに対して、スライダー４の他方の面（図示では上面）には、開口部１０側の一端部に円柱状の突部２０が形成され、この突部２０に可動端子３の中央部１７が係止可能となっている。また、スライダー４の他方の面には、この突部２０の中央から他端部に向かって仕切り部２１が突設されていると共に、この仕切り部２１の両側にそれぞれ平行に規制部２２が突設され、仕切り部２１と各規制部２２との間に可動端子３の各直線部１８ａ，１８ｂが配設されるようになっている。さらに、スライダー４の他方の面の他端部側には仕切り部２１を覆うように庇部２３が形成されており、可動端子３の接点１９ａ，１９ｂは、スライダー４より幅方向に僅かに突出した状態でこの庇部２３に保持されるようになっている。
【００３２】
操作レバー５は、扇状を成し、その要部分には丸孔２４が形成されており、この丸孔２４にケース８の軸部１４を枢設することにより、可動端子３及びスライダー４をケース８との間に挟持しつつ、軸部１４を支点に回転可能となっている。また、操作レバー５には、長円孔２５が形成されており、この長円孔２５にスライダー４の突部２０を係合し、可動端子３及びスライダー４をケース８と操作レバー５によって挟持することにより、可動接点３の浮き上がりを防止しつつ、操作レバー５の回転動をスライダー４の往復動に変換するカム機構が形成されるようになっている。
【００３３】
さらに、操作レバー５の丸孔２４の周囲には凹部２６が形成されており、トーションバネ６を軸部１４に枢設すると共にこの凹部２６に嵌合することより、操作レバー５はケース８の外側に付勢された状態となる。
【００３４】
このような構成を備えたスイッチ１において、操作レバー５に外力を作用させない初期状態では、図１に示すように、操作レバー５がトーションバネ６の付勢力によりハウジング２の外側に突出すると共に、可動端子３の一方の接点１９ａが固定端子のコモン端子１１ａに所定の接触圧で接触し、可動端子の他方の接点１９ｂが固定端子のＮＯ端子１２ｂから離間している。
【００３５】
このような初期状態において、操作レバー５をトーションバネ６の付勢力に抗してハウジング２の内側に押し込み、移動させると、操作レバー５は軸部１４を支点に図１中の反時計回り方向に回転する。この操作レバー５の回転動作は、前記カム機構によってスライダー４の直線動作に変換され、スライダー４はハウジング２の奥側に移動する。これにより、可動端子３の一方の接点１９ａが固定端子のコモン端子１１ａに所定の接触圧で接触した状態で摺動すると共に、可動端子の他方の接点１９ｂは固定端子のＮＯ端子１２ｂに接触し、第１端子１１と第２端子１２は電気的に接続された状態となる。
【００３６】
一方、操作レバー５の押し込み動作を止めると、トーションバネ６の付勢力により、操作レバー５は軸部１４を支点に上記したのと反対方向（図１中の時計回り方向）に回転する。そして、この操作レバー５の回転動作は、前記カム機構によってスライダー４の直線動作に変換され、スライダー４はハウジング２の開口部１０側に移動する。これにより、可動端子３の一方の接点１９ａが固定端子のコモン端子１１ａに所定の接触圧で接触した状態で摺動すると共に、可動端子の他方の接点１９ｂは固定端子のＮＯ端子１２ａから離間し、操作レバー５及び可動端子３は前記初期状態に復帰する。
【００３７】
なお、上記した第１の実施の形態においては、固定端子１１，１２がコモン端子１１ａとＮＯ端子１２ａとから構成されており、操作レバー５をハウジング２の内部に押し込むと、可動端子３がＮＯ端子１２ａに接触するタイプのスイッチについて説明したが、これは単なる例示に過ぎず、本発明は、例えば、図３に示されているように、固定端子１１，１２がコモン端子１１ａとＮＣ（Normally Close）端子１２ｂとから構成されており、操作レバー５をハウジング２の内部に押し込むと、可動端子３がＮＣ端子１２ｂから離間するタイプのスイッチ３１や、図４に示されているように、固定端子１１，１２，１２がコモン端子１１ａとＮＣ端子１２ｂ及びＮＯ端子１２ａとから構成されており、操作レバー５をハウジング２の内部に押し込むと、可動端子３がＮＣ端子１２ｂから離間すると共にＮＯ端子１２ａに接触するタイプのスイッチ３２等、他のタイプのスイッチにも適用可能である。
【００３８】
また、図３や図４に示すように固定端子がＮＣ端子１２ｂを備えているタイプのスイッチ３１，３２の場合、ＮＣ端子１２ｂと接離する可動端子３の接点１９ｂの近傍に反固定端子側に突出するように逃げ部３３を形成してもよい。このように逃げ部３３を形成した場合には、可動端子３がハウジング２の奥側に移動した時、可動端子３がＮＣ端子１２ｂから十分な距離、離間し、可動端子３が誤ってＮＣ端子１２ｂに接触するおそれがないため、スイッチのオン・オフ動作の信頼性をさらに高めることができる。
【００３９】
次に、図５を参照しつつ、本発明の第２の実施の形態に係るスイッチについて説明する。ここで、図５は本実施の形態に係るスイッチを示す平面図である。
【００４０】
本実施の形態に係るスイッチ４１は、プッシュスイッチであり、扁平な矩形箱状のハウジング４２と、ハウジング４２の内部に収容される可動端子４３と、可動端子４３を保持するスライダー４４と、ハウジング４２に出没可能なようにスライダー４４と一体に形成された操作レバー４５と、操作レバー４５をハウジング４２の外側に付勢するトーションバネ４６とを備えて構成されている。
【００４１】
ハウジング４２には、板状の第１〜第３の３個の固定端子４７，４８，４９がそれぞれインサート成形されており、第１固定端子４７の接点４７ａと第２及び第３固定端子４８，４９の各接点４８ａ，４９ａとは互いに対向するように平行に配置されており、それぞれコモン端子、ＮＣ端子及びＮＯ端子を形成している。また、ハウジング４２の内部には、操作レバー４５の近傍の角部に円柱状の軸部５０が突設されていると共に、内側面に当接部５１が突設されている。
【００４２】
可動端子４３は、金属製ワイヤーの中央部５２を略Ｕ字状に屈曲することにより形成され、中央部５２から両側に延出する直線部５３ａ，５３ｂの各先端部には各固定端子４７，４８，４９側に突出するように接点５４ａ，５４ｂがくの字状に屈曲して形成されている。また、第２及び第３固定端子４８，４９側の接点４８ａ，４９ａに接離する可動端子４３の接点５４ｂの基端側には反固定端子側に突出するように逃げ部４０が形成されている。これにより、可動端子４３がハウジング４２の奥側に移動した時、可動端子４３がＮＣ端子４８ａから十分な距離、離間し、可動端子４３が誤ってＮＣ端子４８ａに接触するおそれがないため、スイッチのオン・オフ動作の信頼性をさらに高めることができる。
【００４３】
スライダー４４は、第１固定端子４７の接点４７ａと第２及び第３固定端子４８，４９の各接点４８ａ，４９ａとの間に遊嵌する幅寸法を備えて形成されており、各接点４７ａ，４８ａ，４９ａに沿って往復動可能となっている。また、スライダー４４の中央部には、円柱状の突部５５が形成され、この突部５５に可動端子４３の中央部５２が係止可能となっている。さらに、スライダー４４には、この突部５５の中央から一端部に向かって仕切り部５６が突設されていると共に、仕切り部５６の両側にそれぞれ平行に規制部５７が突設され、仕切り部５６と各規制部５７との間に可動端子４３の各直線部５３ａ，５３ｂが配設されるようになっている。さらにまた、スライダー４４の一端部には仕切り部５６を覆うようにスライダー４４と同一幅寸法を有する庇部５８が形成されており、可動端子４３の接点５４ａ，５４ｂは、スライダー４４より幅方向に僅かに突出した状態でこの庇部５８に保持されるようになっている。
【００４４】
スライダー４４の他端部には、操作レバー４５がハウジング４２の開口部５９を貫通するように形成されており、この操作レバー４５は押圧操作によってスライダー４４と一体に直線動可能に設けられている。さらに、ハウジング４２の内部側の操作レバー４５の端部には、凸曲面状に当接部６０が形成されており、トーションバネ４６を軸部５０に枢設し、トーションバネ４６の一方の端部をハウジング４２の当接部５１に当接すると共に他方の端部を操作レバー４５の当接部６０に当接することより、操作レバー４５はハウジング４２の外側に付勢された状態となる。
【００４５】
このような構成を備えたスイッチ４１において、操作レバー４５に外力を作用させない初期状態では、図５に示すように、操作レバー４５がトーションバネ４６の付勢力によりハウジング４２の外側に突出すると共に、可動端子４３の一方の接点５４ａが固定端子４７のコモン端子４７ａに所定の接触圧で接触し、可動端子４３の他方の接点５４ｂが固定端子４８のＮＣ端子４８ａに所定の接触圧で接触している。
【００４６】
このような初期状態において、操作レバー４５をトーションバネ４６の付勢力に抗してハウジング４２の内側に押し込み、移動させると、操作レバー４５と共にスライダー４４はハウジング４２の奥側に移動する。これにより、可動端子４３の一方の接点５４ａが固定端子４７のコモン端子４７ａに所定の接触圧で接触した状態で摺動すると共に、可動端子４３の他方の接点５４ｂは固定端子４８のＮＣ端子４８ａから離間した後、固定端子４９のＮＯ端子４９ｂに接触する。
【００４７】
一方、操作レバー４５の押し込み動作を止めると、トーションバネ４６の付勢力により、操作レバー４５と共にスライダー４４はハウジング４２の開口部５９側に移動する。これにより、可動端子４３の一方の接点５４ａが固定端子のコモン端子４７ａに所定の接触圧で接触した状態で摺動すると共に、可動端子４３の他方の接点５４ｂは固定端子４９のＮＯ端子４９ａから離間した後、固定端子４８のＮＣ端子４８ａに接触し、操作レバー４５及び可動端子４３は前記初期状態に復帰する。
【００４８】
なお、上記した第２の実施の形態では、本発明をプッシュスイッチに適用した場合について説明したが、これは単なる例示に過ぎず、本発明は、例えば、図６に示すように、操作レバー６１をスライダー４４の移動方向に対して直角を成すように設けた、所謂スライドスイッチ６２等、他のタイプのスイッチにも適用可能である。
【００４９】
上記したように、第１及び第２の実施の形態によれば、可動端子を金属製ワイヤーにより形成していると共に操作レバーの付勢手段としてトーションバネを使用しているため、スイッチの薄型化を容易に図ることができる。また、対向して平行に配設された固定端子の接点の間を可動端子の接点がスライドすることにより、固定端子と可動端子間の接触が行われるようになっているため、接触圧力や接触のタイミングが安定し、接触動作の信頼性を高めることができ、さらに、接触圧力等が安定することにより、スイッチの耐久性が向上し、長寿命化を図ることができる。
【００５０】
また、可動端子等の接点部品と該接点部品を駆動させるトーションバネとが別部品で構成されているため、個々の部品の形状が簡素化され、接点の接触圧力と駆動力の設計の自由度を高めることができる。さらに、固定端子と可動端子間の接触圧を安定させるために高い寸法精度が必要とされず、組み立て作業が簡素化されるため、組み立て作業の自動化が容易となり、製造コストの低減化を図ることができると共に、製品の品質を安定させることができる。さらにまた、コモン端子とＮＯ端子を備えたスイッチ以外にも、コモン端子とＮＣ端子を備えたスイッチや、コモン端子とＮＣ端子及びＮＯ端子を備えたスイッチ等においても、同レベルの接触圧力や接触のタイミングの安定性を確保することができるため、スイッチの多種多様化に容易に対応することが可能となる。
【図面の簡単な説明】
【００５１】
【図１】本発明の第１の実施の形態に係るスイッチを示す平面図である。
【図２】本発明の第１の実施の形態に係るスイッチを示す分解斜視図である。
【図３】本発明の第１の実施の形態に係るスイッチの別の例を示す平面図である。
【図４】本発明の第１の実施の形態に係るスイッチの別の例を示す平面図である。
【図５】本発明の第２の実施の形態に係るスイッチを示す平面図である。
【図６】本発明の第２の実施の形態に係るスイッチの別の例を示す平面図である。
【符号の説明】
【００５２】
１          スイッチ
２          ハウジング
３          可動端子
５          操作レバー
６          トーションバネ
１１        固定端子
１１ａ      接点
１２        固定端子
１２ａ      接点
１２ｂ      接点
１４        軸部
１９ａ      接点
１９ｂ      接点
３１        スイッチ
３２        スイッチ
３３        逃げ部
４０        逃げ部
４１        スイッチ
４２        ハウジング
４３        可動端子
４５        操作レバー
４６        トーションバネ
４７        第１固定端子
４７ａ      接点
４８        第２固定端子
４８ａ      接点
４９        第３固定端子
４９ａ      接点
５４ａ      接点
５４ｂ      接点
【図１】
2008041325.tif 000003
【図２】
2008041325.tif 000004
【図３】
2008041325.tif 000005
【図４】
2008041325.tif 000006
【図５】
2008041325.tif 000007
【図６】
2008041325.tif 000008